(57)【要約】  両端部の摘み操作を容易にする。  ホースクランプ（Ｈ１）は帯状の板材（１）をリング状に曲げて形成されていて、第１摘み操作面（９）を有する第１端部（５）と、第２摘み操作面（１５）を有する第２端部（６）とを有する。第１摘み操作面（９）の長手方向中央寄りには通し孔（７）が開口している。リング状の曲げに際して第２摘み操作面（１５）は幅方向両側部に配された拡張領域（１９）が基部領域（１８）に対して折り曲げ縁（２０）を介して折り曲げられることで、第２摘み操作面（１５）は幅方向へすぼんだ状態とされ、この状態で通し孔（７）へ進入可能となる。リング状に曲げられた後は、第２摘み操作面（１５）の拡張領域（１９）は折り曲げ縁（２０）にて折戻され、全体が拡幅された状態に復帰する。
2013118251.tif 000002
【特許請求の範囲】
【請求項１】
帯状の板材が周面上で交叉するようにリング状に曲げられて締め付け部が形成され、この締め付け部にてホースとその接続相手との接続部位を締め付け可能なホースクランプであって、
長手方向の一端側に配されその端部には第１摘み操作面が形成された第１端部と、
長手方向の他端側に配されその端部には前記第１摘み操作面と対向する第２摘み操作面が形成された第２端部とを備え、
前記第１摘み操作面及び前記第２摘み操作面の少なくともいずれか一方は、
前記板材を、その長手方向に沿って延びる中心軸線であるＸ軸に沿ってリング状に曲げたときに前記第１端部および前記第２端部のうちの相手側となる端部に干渉する部位を含まない基部領域と、
前記板材を、前記Ｘ軸に沿ってリング状に曲げたときに前記第１端部および前記第２端部のうちの相手側となる端部に干渉する部位を含む拡張領域とから形成されるとともに、
前記基部領域と前記拡張領域との間には、前記板材が前記Ｘ軸に沿って曲げられたときに、前記拡張領域を前記第１端部および前記第２端部のうちの相手側となる端部に干渉しない非干渉位置へ折り曲げ可能にする折り曲げ縁と、前記基部領域とは別体に形成された前記拡張領域を接続するための接続縁との少なくともいずれか一方が形成されていることを特徴とするホースクランプ。
【請求項２】
前記板材は前記Ｘ軸に関して略線対称形状に形成されるとともに、
前記第１端部側に設けられ前記第１摘み操作面より長手方向中央寄りには、長孔状の通し孔が開口し、
前記第２端部側に設けられ前記第２摘み操作面より長手方向中央寄りには、前記通し孔へ進入可能な幅狭部が形成され、
前記拡張領域は前記基部領域の幅方向の側縁部に配されるようになっており、前記拡張領域が前記折り曲げ縁にて折り曲げられた状態あるいは前記基部領域とは別体の拡張領域が前記基部領域から切り離された単体の状態では、前記第２摘み操作面の外幅寸法が、前記通し孔の開口幅と等しいかそれよりも小さく設定されて前記通し孔へ進入可能であり、かつ前記拡張領域が前記折り曲げ縁を境にして折り戻されて幅方向外方へ展開した状態あるいは前記拡張領域が前記基部領域の幅方向の側縁に接続縁を介して固着された状態では、前記第２摘み操作面の外幅寸法が、前記通し孔の開口幅より大きく設定されていることを特徴とする請求項１に記載のホースクランプ。
【請求項３】
前記板材は前記Ｘ軸と直交しかつ前記板材の長手方向の中央を通過するＹ軸に関して略点対称形状に形成されるとともに、
前記第１端部及び第２端部において前記第１摘み操作面および前記第２摘み操作面より長手方向中央寄りには、長手方向に沿った一方の側縁から前記Ｘ軸に達するかあるいはこれを横切る位置まで相互に反対向きとなるようにして切り欠かれた徐肉領域が形成され、
前記第１摘み操作面および前記第２摘み操作面は、前記拡張領域が前記基部領域の幅方向の側縁部に配されるようになっており、
前記拡張領域が前記折り曲げ縁にて折り曲げられた状態あるいは前記基部領域とは別体の拡張領域が前記基部領域から切り離された単体状態では、前記第１摘み操作面及び前記第２摘み操作面の幅方向の側縁が前記Ｘ軸に沿うか、あるいはＸ軸を横切ることなく離間して位置することで、前記板材が前記Ｘ軸に沿って曲げられるときに前記第１摘み操作面および前記第２摘み操作面は対応する前記徐肉領域を通過可能となっており、
前記拡張領域が前記折り曲げ縁を境にして折り戻されて幅方向外方へ展開した状態あるいは前記拡張領域が前記基部領域の幅方向の側縁に接続縁を介して固着された状態では、前記第１摘み操作面および前記第２摘み操作面は幅方向へ拡幅されて、前記Ｘ軸を互い違いの状態で横切る構成となっていることを特徴とする請求項１に記載のホースクランプ。
【請求項４】
前記第１摘み操作面と前記第２摘み操作面との少なくともいずれか一方において、これらが対向する面と反対側の面には、厚み方向外方へ向けて突出部が突出形成されていることを特徴とする請求項１乃至請求項３のいずれかに記載のホースクランプ。
【請求項５】
前記第１・第２摘み操作面の少なくともいずれか一方において、少なくとも一つの周縁部には対向面側へ向けて逃がし部が折り曲げ形成されていることを特徴とする請求項１乃至請求項４のいずれかに記載のホースクランプ。
【請求項６】
前記第１・第２摘み操作面の少なくともいずれか一方には、滑り止めのための凹部あるいは貫通孔が形成されていることを特徴とする請求項１乃至請求項５のいずれかに記載のホースクランプ。
【請求項７】
帯状の板材が周面上で交叉するようにリング状に曲げられて、ホースとその接続相手との接続部位を締め付けるホースクランプの製造方法であって、
前記板材の両端部側は第１端部と第２端部とされ、前記第１端部及び前記第２端部のそれぞれの先端部には第１摘み操作面と第２摘み操作面が形成され、かつ両摘み操作面のうち少なくともいずれか一方側の前記摘み操作面より長手方向の中央寄りには被通過部が形成され、前記板材を、その長手方向に沿った中心軸線であるＸ軸に沿って円環状に曲げる前は、前記両摘み操作面のうち少なくとも他方側に対し、前記被通過部周りの部位に干渉しない外幅寸法を持った干渉回避形態としておく外幅調整工程と、
前記板材の長手方向の中央が曲げを最下点としつつ前記Ｘ軸に沿って円環状に曲げるとともに、前記両摘み操作面のうち少なくとも前記他方側が前記被通過部を通過させるようにすることで前記第１端部と前記第２端部とを周面上で交叉させて縮径及び拡径方向への変形が可能な締め付け部を形成する締め付け部形成工程と、
この締め付け部形成工程の後に、前記両摘み操作面のうち少なくとも他方側に対し、同面を幅方向に拡張させた拡張形態に加工する拡幅工程と、
を含んでいることを特徴とするホースクランプの製造方法。
【請求項８】
前記被通過部は前記第１端部において長孔状に形成された通し孔であり、前記外幅調整工程において前記第２摘み操作面は幅方向両側部が折り曲げられることにより全体の外幅が前記通し孔の開口幅と等しいかそれより幅狭に形成された前記干渉回避形態とされ、この第２摘み操作面は締め付け部形成工程において前記通し孔へ通され、前記拡幅工程において幅方向両側部が折り戻されて前記拡幅形態とされることを特徴とする請求項７に記載のホースクランプの製造方法。
【請求項９】
前記板材は前記Ｘ軸と直交しかつ前記板材の長手方向の中央を通過するＹ軸に関して略点対称形状に形成されていて、前記第１端部の長手方向の端部に形成された前記第１摘み操作面と前記第２摘み操作面は共に前記Ｘ軸を挟んだ二つの領域を跨ぐ幅範囲をもって形成される一方、前記第１端部側と前記第２端部側のそれぞれに配された前記被通過部は共に前記板材の一方の側縁から内方へ向けて前記Ｘ軸に達するかあるいはこれを超えて横切る深さまで切り欠かれた徐肉領域であり、
前記外幅調整工程において、前記第１摘み操作面及び前記第２摘み操作面は、共に前記Ｘ軸を挟んだ二つの領域のうち前記徐肉領域が配された側の領域が折り曲げられて、折り曲げ部分の長手方向の側面が前記Ｘ軸に沿うか、あるいは前記Ｘ軸から離れて位置する前記干渉回避形態とされ、
前記第１摘み操作面及び前記第２摘み操作面は、前記拡幅工程において折り曲げ部分が折り戻されて前記拡幅形態とされることを特徴とする請求項７に記載のホースクランプの製造方法。
【請求項１０】
前記第１摘み操作面と前記第２摘み操作面の少なくともいずれか一方において、これらが対向する面と反対側の面には厚み方向外方へ向けて突出する突出部が形成される突出部形成工程が含まれることを特徴とする請求項７乃至請求項９のいずれかに記載のホースクランプの製造方法。
【請求項１１】
前記第１摘み操作面と前記第２摘み操作面の少なくともいずれか一方において、周縁の少なくとも一縁が対向面側へ向けて折り曲げられた逃がし部を形成するための逃がし部形成工程が含まれることを特徴とする請求項７乃至請求項１０のいずれかに記載のホースクランプの製造方法。
【請求項１２】
前記第１・第２摘み操作面の少なくともいずれか一方に、滑り止めのための凹部あるいは貫通孔を形成するための工程が含まれることを特徴とする請求項７乃至請求項１１のいずれかに記載のホースクランプの製造方法。
【発明の詳細な説明】
【技術分野】
【０００１】
本発明は、ホースクランプ及びその製造方法に関するものである。
【背景技術】
【０００２】
特許文献１には、ホースとパイプとの接続部位を締め付けるためホース接続装置が開示されている。ここに開示されたホース接続装置はリング状に形成されたホースクランプを有している。ホースクランプは帯状の板ばね材をリング状に曲げ加工したものであり、長手方向の一端側には長孔状の通し孔が開口する二股状の第１端部が形成されている。第１端部は通し孔を含めた範囲で径方向へ屈曲し第１摘み部が形成されている。ホースクランプの他端側は通し孔の開口幅より細幅の第２端部が形成されている。第２端部は第１摘み部と対向するようにして第２摘み部が径方向へ屈曲して形成されている。【０００３】
ここに開示されたホースクランプは、第１・第２摘み部を接近させホルダーで挟み付けた状態に保持することができ、こうすることでホースクランプの内径を拡径した状態に保持することができる。一方、ホルダーを抜き取ることで、ホースクランプは自らの弾性力によって縮径状態に移行し、ホースとパイプとの接続部位を締め付け可能となる。
【先行技術文献】
【特許文献】
【０００４】
【特許文献１】実用新案登録第２５６１８２０号公報
【発明の概要】
【発明が解決しようとする課題】
【０００５】
上記したように、ホースクランプは、リング状に曲げ加工される際に、第２端部は第１端部側の通し孔を通過しなければならない。したがって、第２端部の幅寸法は通し孔の開口幅と等しいか、それよりも細幅でなければならない。つまり、第２摘み部は通し孔の開口幅による制約を受けて十分な幅寸法を確保しにくい。このため、第２摘み部自体の幅が狭く、また第１摘み部との幅寸法の差が大きいことから両つまみ部の摘み操作がアンバランスになりがちである。その結果、上記のホースクランプはつまみ操作がし難くなる、という問題点があった。【０００６】
本発明は上記のような事情に基づいて完成されたものであって、摘み操作を容易にすることができるホースクランプ及びその製造方法を提供することを目的とする。
【課題を解決するための手段】
【０００７】
（第１の発明）
この出願における第１の発明は、帯状の板材が周面上で交叉するようにリング状に曲げられて締め付け部が形成され、この締め付け部にてホースとその接続相手との接続部位を締め付け可能なホースクランプであって、
長手方向の一端側に配されその端部には第１摘み操作面が形成された第１端部と、
長手方向の他端側に配されその端部には第１摘み操作面と対向する第２摘み操作面が形成された第２端部とを備え、
第１摘み操作面及び第２摘み操作面の少なくともいずれか一方は、
板材を、その長手方向に沿って延びる中心軸線であるＸ軸に沿ってリング状に曲げたときに第１端部および第２端部のうちの相手側となる端部に干渉する部位を含まない基部領域と、
板材を、Ｘ軸に沿ってリング状に曲げたときに第１端部および第２端部のうちの相手側となる端部に干渉する部位を含む拡張領域とから形成されるとともに、基部領域と拡張領域との間には、板材がＸ軸に沿って曲げられたときに、拡張領域を第１端部および第２端部のうちの相手側となる端部に干渉しない非干渉位置へ折り曲げ可能にする折り曲げ縁と、基部領域とは別体に形成された拡張領域を接続するための接続縁との少なくともいずれか一方が形成されているところに特徴を有する。【０００８】
本発明によれば、帯状の板材がリング状に曲げ加工される際に、第１摘み操作面及び第２摘み操作面のうちの少なくともいずれか一方は、拡張領域を基部領域に対し折り曲げ縁を介して折り曲げておくか、あるいは基部領域単体の状態にしておく。こうすることで、板材はＸ軸に沿って曲げる際の干渉が回避される。その後に拡張領域を折り戻すか、単体状態にある基部領域に対し別体の拡張領域を接続縁を介して接続すれば、第１摘み操作面及び第２摘み操作面の少なくともいずれか一方の操作面積を拡張させることができる。これによって、摘み操作の容易化を図ることができる。【０００９】
第１の発明のホースクランプには、以下の構成を付加してもよい。
（１）板材はＸ軸に関して略線対称形状に形成されるとともに、
第１端部側に設けられ第１摘み操作面より長手方向中央寄りには、長孔状の通し孔が開口し、
第２端部側に設けられ第２摘み操作面より長手方向中央寄りには、通し孔へ進入可能な幅狭部が形成され、
拡張領域は基部領域の幅方向の側縁部に配されるようになっており、
拡張領域が折り曲げ縁にて折り曲げられた状態あるいは基部領域とは別体の拡張領域が基部領域から切り離された単体の状態では、第２摘み操作面の外幅寸法が、通し孔の開口幅と等しいかそれよりも小さく設定されて通し孔へ挿通可能であり、かつ拡張領域が折り曲げ縁を境にして折り戻されて幅方向外方へ展開した状態あるいは拡張領域が基部領域の幅方向の側縁に接続縁を介して固着された状態では、第２摘み操作面の外幅寸法が、通し孔の開口幅より大きく設定されている。【００１０】
このような構成によれば、板材をＸ軸に沿ってリング状に曲げるときには拡張領域が折り曲げ縁にて折り曲げられるか、あるいは基部領域単体の状態にあるため、第２摘み操作面は、通し孔に対し孔縁に干渉することなく挿通可能である。挿通後は拡張領域が折り戻されて幅方向外方へ展開するか、あるいは単体状態にある基部領域の側縁に対し拡張領域が接続縁を介して接続されて、第２摘み操作面の外幅寸法が幅方向へ拡張する。その結果、第２摘み操作面の外幅は通し孔の開口幅より広幅に拡幅されるため、良好な摘み操作性が得られる。加えて、ホースクランプ全体はＸ軸に関して略線対称形状をなしているため、ホースクランプに作用する応力を、Ｘ軸に関してバランスさせることができる、という効果も得られる。
（２）板材はＸ軸と直交しかつ板材の長手方向の中央を通過するＹ軸に関して略点対称形状に形成されるとともに、
第１端部及び第２端部において第１摘み操作面および第２摘み操作面より長手方向中央寄りには、長手方向に沿った一方の側縁からＸ軸に達するかあるいはこれを横切る位置まで相互に反対向きとなるようにして切り欠かれた徐肉領域が形成され、
第１摘み操作面および第２摘み操作面は、拡張領域が基部領域の幅方向の側縁部に配されるようになっており、
拡張領域が前記折り曲げ縁にて折り曲げられた状態あるいは基部領域とは別体の拡張領域が基部領域から切り離された単体状態では、第１摘み操作面及び第２摘み操作面の幅方向の側縁がＸ軸に沿うか、あるいはＸ軸を横切ることなく離間して位置することで、板材がＸ軸に沿って曲げられるときに第１摘み操作面および第２摘み操作面は対応する徐肉領域を通過可能となっており、
拡張領域が折り曲げ縁を境にして折り戻されて幅方向外方へ展開した状態あるいは拡張領域が基部領域の幅方向の側縁に接続縁を介して固着された状態では、第１摘み操作面および第２摘み操作面は幅方向へ拡幅されて、Ｘ軸を互い違いの状態で横切る構成となっている。【００１１】
このような構成によれば、板材をＸ軸に沿ってリング状に曲げるときには、両摘み操作面は徐肉領域を通過することができる。通過後には、拡張領域が折り戻され、あるいは基部領域に接続されてＸ軸を互い違いの状態で横切る。すなわち、両摘み操作面は共に広幅状態に拡幅されるため、良好な摘み操作性が得られる。加えて、ホースクランプ全体はＹ軸に関して略点対称形状をなしているため、ホースクランプに作用する応力をＹ軸に関してバランスさせることができる。
（３）第１摘み操作面と第２摘み操作面との少なくともいずれか一方において、これらが対向する面と反対側の面には、厚み方向外方へ向けて突出部が突出形成されている。【００１２】
このような構成によれば、作業者が第１・第２の両摘み操作面を摘み操作する際には作業者の指は突出部に当てられ、両摘み操作面の周縁のエッジ部に触れずに済むため、指を痛めにくい。
（４）  第１・第２摘み操作面の少なくともいずれかにおいて、少なくとも一つの周縁部には、対向面側へ向けて逃がし部が折り曲げ形成されている。【００１３】
このような構成によれば、両摘み操作面の周縁には逃がし部によって対向面側へ曲げられたものを含むため、これによって両摘み操作面のエッジとなる周縁が指から遠ざけられるため、エッジ部分に指が触れずに済む。したがって、作業者が指を痛める事態を回避することができる。
（５）第１・第２摘み操作面の少なくともいずれか一方には、滑り止めのための凹部あるいは孔が貫通している。
このような構成によれば、作業者が第１摘み操作面あるいは第２摘み操作面を摘み操作するときに、孔あるいは凹部の周縁が引っ掛かりとなって滑り止めがなされる。【００１４】
（第２の発明）
また、この出願の第２の発明は、帯状の板材が周面上で交叉するようにリング状に曲げられて、ホースとその接続相手との接続部位を締め付けるホースクランプの製造方法であって、
板材の両端部側は第１端部と第２端部とされ、第１端部及び第２端部のそれぞれの先端部には第１摘み操作面と第２摘み操作面が形成され、かつ両摘み操作面のうち少なくともいずれか一方側の摘み操作面より長手方向の中央寄りには被通過部が形成され、板材を、その長手方向に沿った中心軸線であるＸ軸に沿って円環状に曲げる前は、両摘み操作面のうち少なくとも他方側に対し、被通過部周りの部位に干渉しない外幅寸法を持った干渉回避形態としておく外幅調整工程と、
板材の長手方向の中央が曲げを最下点としつつＸ軸に沿って円環状に曲げるとともに、両摘み操作面のうち少なくとも他方側が被通過部を通過させるようにすることで第１端部と第２端部とを周面上で交叉させて縮径及び拡径方向への変形が可能な締め付け部を形成する締め付け部形成工程と、
この締め付け部形成工程の後に、両摘み操作面のうち少なくとも他方側に対し、同面を幅方向に拡張させた拡張形態に加工する拡幅工程と、
を含んでいるところに特徴を有する。【００１５】
第２の発明であるホースクランプの製造方法には、次の構成を付加してもよい。
（１）被通過部は第１端部において長孔状に形成された通し孔であり、外幅調整工程において第２摘み操作面は幅方向両側部が折り曲げられることにより全体の外幅が通し孔の開口幅と等しいかそれより幅狭に形成された干渉回避形態とされ、この第２摘み操作面は締め付け部形成工程において通し孔へ通され、前記拡幅工程において幅方向両側部が折り戻されて拡幅形態とされる。
（２）板材はＸ軸と直交しかつ板材の長手方向の中央を通過するＹ軸に関して略点対称形状に形成されていて、第１端部の長手方向の端部に形成された第１摘み操作面と第２摘み操作面は共にＸ軸を挟んだ二つの領域を跨ぐ幅範囲をもって形成される一方、第１端部側と第２端部側のそれぞれに配された被通過部は共に板材の一方の側縁から内方へ向けてＸ軸に達するかあるいはこれを超えて横切る深さまで切り欠かれた徐肉領域であり、
外幅調整工程において、第１摘み操作面及び第２摘み操作面は、共にＸ軸を挟んだ二つの領域のうち徐肉領域が配された側の領域が折り曲げられて、折り曲げ部分の長手方向の側面がＸ軸に沿うか、あるいはＸ軸から離れて位置する干渉回避形態とされ、
第１摘み操作面及び第２摘み操作面は、拡幅工程において折り曲げ部分が折り戻されて拡幅形態とされる。
（３）第１摘み操作面と第２摘み操作面の少なくともいずれか一方において、これらが対向する面と反対側の面には厚み方向外方へ向けて突出する突出部が形成される突出部形成工程が含まれる。
（４）第１摘み操作面と第２摘み操作面の少なくともいずれか一方において、周縁の少なくとも一縁が対向面側へ向けて折り曲げられた逃がし部を形成するための逃がし部形成工程が含まれる。
（５）第１・第２摘み操作面の少なくともいずれか一方に、滑り止めのための凹部あるいは貫通孔を形成するための工程が含まれる。
【図面の簡単な説明】
【００１６】
【図１】本実施形態１のホースクランプの斜視図
【図２】同じく正面図
【図３】同じく平面図
【図４】同じく展開図
【図５】図２のＡ−Ａ線断面図
【図６】ホースクランプの成形工程図
【図７】実施形態２に係るホースクランプの斜視図
【図８】同じく成形工程図
【図９】実施形態３のホースクランプの要部拡大図
【図１０】実施形態４のホースクランプの要部拡大図
【図１１】実施形態５のホースクランプの要部拡大図
【図１２】実施形態６のホースクランプの要部拡大図
【図１３】図１２のＢ−Ｂ線断面図
【図１４】実施形態７のホースクランプの要部を拡大して示す斜視図
【図１５】実施形態８のホースクランプの要部拡大図
【発明を実施するための形態】
【００１７】
＜実施形態１＞
以下、本発明を具体化した実施形態１を図１乃至図６を参照して説明する。本実施形態のホースクランプＨ１は、ばね鋼よりなる板材によって一体に形成されている。図４に示すように、ホースクランプは展開状態では長手方向（後述するＸ軸に沿う方向）に沿って延びる帯状に形成されている。この帯状の板材１は、展開状態からＸ軸に沿ってリング状に曲げ加工されて、縮径及び拡径方向へ弾性変形可能な締め付け部２が形成される。また、ホースクランプの両端部はそれぞれ締め付け部２から径方向外方へ突出して第１・第２摘み部３，４となる。これら両摘み部３，４は周方向において対向している。
【００１８】
さて、図４に示すように、ホースクランプＨ１を形成するための板材１は長手方向に沿った中心軸線であるＸ軸に関して対称形状に形成されている。ホースクランプＨ１の板材１の一端部（図４における左側の端部：第１端部５）には、長手方向に沿って延びる長孔状の通し孔７（被通過部）が開口している。第１端部５は通し孔７の幅方向両側に連結片８を配して二股状に形成されている。通し孔７は長手方向の先端側の開口端が幅広で、反対側の開口端に向けて徐々に幅狭となるように形成されている。第１端部５において通し孔７よりも先端側の領域は第１摘み操作面９となっている。
【００１９】
ホースクランプＨ１の板材１は第１端部５の先端から長手方向の約２/３程度の部位までの範囲は、側縁同士の間の幅寸法がほぼ均一に形成されている。この均一幅領域における長手方向の片側（通し孔７が形成されていない側）には一対の三角窓１０が開口している。両三角窓１０はそれぞれ略三角形状に形成され、それぞれの三角形の尖った頂点部が向き合うようにして配置されている。また、図４に示すように、両三角窓１０は長手方向の中央を通りＸ軸と直交するＹ軸を挟んで対称位置に配されている。
【００２０】
ホースクランプＨ１の板材１の他端部（図４における右側の端部：第２端部６）には、上記した均一幅領域に連続して幅狭部１１が形成されている。幅狭部１１は第２端部６の先端側に向かうにつれて徐々に幅狭となるように形成されているが、最も広幅の付け根部分においても通し孔７の最小開口幅Ｗ０より幅狭に形成されている。上記した締め付け部２は、展開状態にある板材１を、Ｘ軸に沿ってリング状に曲げ加工する過程で、第１端部５と第２端部６とが周面上で交叉するようにして形成される。この際において、幅狭部１１は通し孔７内へ進入され両連結片８の間に位置する。また、このときには幅狭部１１は両連結片８とほぼ面一状態となり、両連結片８と共に締め付け部２の内周面の一部を構成する。
【００２１】
均一幅領域の第１端部５側の両コーナは弧状に面取り１２がされているが、幅狭部１１側の両コーナは直線状に面取り１３がされている。両面取り１３は円弧面１３Ａを介して幅狭部１１に連続している。幅狭部１１は徐々に幅広となる接続部１４を介して第２摘み操作面第２摘み操作面１５に連続している。
【００２２】
第２摘み操作面１５は図３に示すように、第１摘み操作面９とほぼ同幅に形成されている。つまり、第２摘み操作面１５は通し孔７の最大開口幅Ｗ１よりも広幅寸法に形成されている。また、同図に示すように、第１・第２摘み操作面９，１５は締め付け部２の周方向において対向し、締め付け部２の軸方向へほぼ位置ずれがない整合した状態で対向している。
【００２３】
第１・第２の摘み操作面９，１５の上縁は、共に内方（相手側の摘み操作面側）へ向けて僅かに折り曲げられて逃がし部１６が形成されている。こうすることで、両摘み操作面９，１５の外面側を指で摘んだときに、両摘み操作面９，１５の上縁部分がエッジになっていたとしても、同部分に指を触れ難くしている。また、両摘み操作面９，１５にはそれぞれ３条ずつ突出部１７が設けられている。この実施形態においては、各突出部１７は上下方向（締め付け部２の径方向）に長いリブ状に形成され、幅方向に並列して配置されている。さらに、各突出部１７は両摘み操作面９，１５の外面側へ突出するよう、叩き出しによって形成されている。これら突出部１７は両摘み操作面９，１５の幅方向（Ｙ軸に沿う方向）の両側縁がエッジになっていたとしても、同部分に指を触れ難くしている。また、各突出部１７の突出面は丸みが付けられていて、摘み操作時に指を痛め難くしている。
【００２４】
次に、図６にしたがって、実施形態１のホースクランプＨ１の加工方法について説明する。
（展開形状形成工程：図６（I）参照）
まず、母材から所定形状に打ち抜かれた展開形状の板材１を得る。この状態では、前述したように、第２摘み操作面１５は通し孔７の開口幅より広幅に形成されている。したがって、板材１をＸ軸に沿ってリング状に曲げると、第２摘み操作面１５の幅方向の両側部が通し孔７周りの部位（具体的には、連結片８）と干渉することになる。つまり、第２摘み操作面１５は幅方向中央に配され幅狭部１１の先端の幅寸法とほぼ同一幅をもって先端まで延びる基部領域１８とこの基部領域１８の幅方向両側部に連続する一対の拡張領域１９とによって形成されている。
（外幅調整工程：図６（II）参照）
展開形状形成工程の後、第２摘み操作面１５の両拡張領域１９に対して所定の曲げ加工が施される（図６（II）状態）。すなわち、第２摘み操作面１５に対し、基部領域１８と両拡張領域１９との境界を折り曲げ縁２０としてそれぞれ内方へほぼ直角に折り曲げがなされる。この折り曲げの結果、第２摘み操作面１５は両拡張領域１９が向き合うことで、全体幅を縮小させた「窄んだ」形態となる（干渉回避形態）。この状態における第２摘み操作面１５全体の外幅（図４に示すＷ２）は、通し孔７の最小開口幅（Ｗ０）より小さく設定されている。こうして両拡張領域１９が折り曲げられた位置は、板材をＸ軸に沿ってリング状に曲げたときに、第２摘み操作面１５が通し孔７の開口縁と干渉することなく進入される非干渉位置となる。
（締め付け部形成工程：図６（III）（IV）参照）
次に、上記の展開状態からリング状の曲げ加工がなされる。その場合、展開状態にある板材１に対し、Ｙ軸を曲げの頂点としつつＸ軸に沿って円弧形状に曲げがなされる。そして、第１端部５側をほぼ鉛直に起立させた後は、第２端部６側の曲げが第１端部５側に先行して行われる（（III）状態）。このときに、第２摘み操作面１５は通し孔７に対し非干渉状態で進入される。続いて、第１端部５側も同様にして曲げが行われ、これによって第１・第２端部５，６が周面上で交叉し締め付け部２としての形状が概ね得られる。
（拡幅工程：図６（V）参照）
この工程では、折り曲げ状態にあった両拡張領域１９を折り曲げ縁２０を中心にして折り戻す加工がなされる。その結果、第２摘み操作面１５は、両拡張領域１９が幅方向に展張した原形態（拡幅形態）へと復帰する。また、この実施形態１においては、同工程中に第１摘み操作面９及び第２摘み操作面１５に対する、逃がし部１６と突出部１７の形成も併せて行われる（突出部形成工程と逃がし部形成工程）。
（摘み部形成工程：図６（VI）参照）
最後、両端部５，６が直後の一定部分を締め付け部２の円周面を形成するように弧状の加工を行うとともに、両摘み操作面９，１５を含めて第１・第２端部５，６を締め付け部２の周面から径方向外方へ向けて起立させる。これによって、第１・第２摘み部３，４が周方向において対向し、かくして所望とするホースクランプＨ１が得られる。
【００２５】
このように構成された本実施形態１のホースクランプＨ１によれば、従来、通し孔７の開口幅によって制約を受けていた第２摘み操作面１５の幅寸法を、通し孔７の開口幅よりも広幅に形成することができる。したがって、両摘み操作面９，１５の摘み操作がし易く、また両摘み操作面９，１５が同幅に形成されていることから、バランスよく摘み操作することができる。
【００２６】
さらに、本実施形態では板材１を展開状態からリング状に曲げ加工する際に、ねじりを伴わない。仮に、ねじりを伴うと、その影響が締め付け部２に及び、その真円度が確保されなくなる虞れがある。しかし、本実施形態ではねじりを伴わないため、締め付け部２の真円度が確保され、その結果ホースを全周に亘って均一に締め付けることができ、高いシール性を実現することができる、という効果が得られる。
【００２７】
さらに、本実施形態のホースクランプＨ１では、第２摘み操作面１５は折り曲げ状態にあった拡張領域１９を、基部領域１８と面一状態に展開させるだけで全体の幅寸法を拡張することができるため、拡張のための加工作業が簡単である。さらにまた、第１・第２の摘み操作面９，１５の上縁には逃がし部１６が曲げ形成され、かつ両面には三条ずつ突出部１７が突出形成されることで、摘み操作時において、破断面となっている両摘み操作面９，１５の上縁及び幅方向の両側縁に作業者の指が触れ難い。したがって、作業者が指を痛めるような事態を未然に回避することができる。
【００２８】
＜実施形態２＞
図７及び図８は本発明の実施形態２を示している。
【００２９】
実施形態２に係るホースクランプＨ２は、図７に示すように、通し孔７を有していない。本実施形態のホースクランプＨ２は、第１摘み操作面３０と第２摘み操作面３１とが軸方向で互い違いとなるように交叉する構成となっている。図７には実施形態１において示した三角窓１０が示されていないが、実施形態１と同様に設けるようにしてもよい。
【００３０】
実施形態２に係るホースクランプＨ２は、図８に示すような工程を経て製造される。図８（I）に示すように、展開状態にある板材３２はＹ軸に関して点対称の形状に形成されている（展開形状形成工程）。（I）に示すように、板材３２の長手方向の一方の側縁（図中、下側に示されている側縁）は第２端部３４の先端からＸ軸に沿って真っ直ぐ延び、Ｙ軸を越えて所定位置に至った後、内方へ向かう緩斜面３５が連続している。緩斜面３５の終端はＸ軸を僅かに横切って位置している。緩斜面３５の終端からは、第１端部３３側へ向けてＸ軸と平行にストレート面３６が所定長さだけ延び、その後、外方へ向かう急斜面３７に連続している。急斜面３７は第１端部３３の先端から所定距離だけ離れた位置に連続している。かくして、第１端部３３の一方の側縁には緩斜面３５、ストレート面３６及び急斜面３７によって形成される徐肉領域３８が形成され、このことによって徐肉領域３８より第１端部３３の先端側には第１摘み操作面３０が形成される。
【００３１】
板材３２の他方の側縁（図中、上側に示されている側縁）においても徐肉領域３８が点対称位置に形成され、同様にして第２摘み操作面３１が形成される。
【００３２】
ホースクランプＨ２は展開状態から曲げ加工される前に、第１・第２の両摘み操作面３９，４０に対し図８（II）に示すような折り曲げがなされる（外幅調整工程）。すなわち、第１摘み操作面３０においては、板材３２をＸ軸に沿ってリング状に曲げたときに、図８においてＸ軸より下側に位置する片側部位が、第２端部３４側における徐肉領域３８周りに干渉するため、同部位を含む領域が拡張領域３９となり、残りの領域が基部領域４０となる。一方、第２摘み操作面３１においては、図８においてＸ軸より上側に位置する片側部位が第１端部３３側と干渉するため、同部位を含む領域が拡張領域３９であり、残りの領域が基部領域４０となる。
【００３３】
外幅調整工程においては、第１摘み操作面３０と第２摘み操作面３１の拡張領域３９が、Ｘ軸に沿った折り曲げ縁４１にて内方（紙面に向かって手前方向）へほぼ直角に折り曲げられる。この結果、第１摘み操作面３０及び第２摘み操作面３１の拡張領域３９の外面はＸ軸を横切ることなくＸ軸より僅かに内側に位置する。かくして、第１摘み操作面３０と第２摘み操作面３１とは上記外幅調整工程において、幅方向に縮小した干渉回避形態とされる。
【００３４】
図８（II）の状態から、Ｙ軸を曲げの頂点としつつＸ軸に沿ってリング状の曲げがなされる（締め付け部形成工程）。この際に、第１摘み操作面３０及び第２摘み操作面３１は、上記した拡張領域３９の折り曲げによって拡張領域３９の外面がＸ軸より僅かに内側に位置するようになっているため、Ｘ軸に沿ったリング状の曲げを行えば、相手側端部との干渉を生じることなく、締め付け部４２を形成しつつその周面上で交叉することができる。したがって、本実施形態においてもリング状の曲げ加工の際にねじりを伴わずに済むため、締め付け部４２の真円度の保持に寄与する。
【００３５】
また、上記した曲げの結果、同図（III）に示すように、両徐肉領域３８内の縁部同士は面一状態で整合する。
【００３６】
その後、拡張領域３９は原状態へ折り戻される（同図（IV）:拡幅工程）。この工程により、第１・第２摘み操作面３０，３１は拡張領域３９が幅方向に展張した原形態（拡幅形態）へと復帰する。また、この工程の間に、両摘み操作面３０，３１を含めて第１・第２端部３３，３４側を径方向外方へ起立させて相互を対向させる加工も併せてなされる。かくして、本実施形態２のホースクランプＨ２が得られる。
【００３７】
なお、逃がし部と突出部については図示はしないが、本実施形態２においても、実施形態１と同様に形成される（突出部形成工程と逃がし部形成工程）。
以上のようにして得られた実施形態２に係るホースクランプＨ２においても、実施形態１と同様の作用効果を得ることができる。
【００３８】
＜実施形態３＞
図９は本発明の実施形態３に係るホースクランプＨ３のうち、第２摘み操作面５０を示しているが、第１摘み操作面も同様に構成しうる。実施形態３のホースクランプＨ３では、板材が展開状態にあるときに、拡張領域５２は基部領域５１から切り離されて別体となっている。つまり、実施形態３では図示しない通し孔に対し基部領域５１単体で進入させた後、基部領域５１の幅方向両側縁に接続縁５３を介して一対の拡張領域５２をそれぞれ溶接等によって取り付けるようにしている。
【００３９】
本実施形態において、基部領域５１単体での幅寸法は通し孔（図示しない）の最小開口幅よりも細幅であるが、両拡張領域５２を取付けた状態における第２摘み操作面５０の外幅寸法は通し孔の最大開口幅よりも広幅に設定されている。
【００４０】
なお、本実施形態においても第１・第２の摘み操作面に逃がし部や突出部を形成することは可能である。
【００４１】
このように形成された実施形態３においても、実施形態１と同様の作用効果を得ることができる。
【００４２】
＜実施形態４＞
図１０は本発明の実施形態４に係るホースクランプＨ４のうち、第２摘み操作面６０を外面（指によって摘み操作される面）側から見た状態を示しているが、第１摘み操作面も同様に構成し得る。実施形態１では突出部１７がリブ状の形態を示したが、本実施形態に係る突出部６１ではこれに代えて半球状の形態としている。各突出部６１は実施形態１と同様、第１・第２の摘み操作面の内面側から外面側へ突出するように叩き出されている。
【００４３】
なお、本実施形態においても、第１・第２の摘み操作面の上縁に逃がし部を形成することは可能である。
【００４４】
＜実施形態５＞
図１１は本発明の実施形態５に係るホースクランプＨ５のうち、第２摘み操作面７０を外面側から見た状態を示しているが、第１摘み操作面も同様に構成し得る。実施形態１では突出部１７は縦方向に長いリブ状に形成した場合を示したが、本実施形態５に係る突出部７１では横方向（幅方向）に長いリブ状に形成したものである。
【００４５】
なお、本実施形態においても第１・第２の摘み操作面の上縁に逃がし部を形成することは可能である。また、図示はしないが、突出部１７，７１の形成方向は縦方向あるいは横方向に限らず、幅方向と交差するような斜め方向であってもよい。
【００４６】
＜実施形態６＞
図１２及び図１３は本発明の実施形態６に係るホースクランプＨ６のうち、第２摘み操作面８０を内面側から見た状態を示しているが、第１摘み操作面も同様に構成し得る。本実施形態では、第２の摘み操作面８０の上縁から幅方向両側縁にかけて内面側（作業者が指で摘まみ操作しない側の面）へ折り曲げて逃がし部８１を形成したものである。このようにすれば、突出部を形成しなくても、作業者の指が、破断面である両摘み操作面の上縁及び幅方向両側縁に触れてしまう事態を回避することができる。
なお、この実施形態においても突出部を併せて形成するようにしてもよい。
【００４７】
＜実施形態７＞
図１４は本発明の実施形態７に係るホースクランプＨ７の第２摘み操作面９０を示しているが、第１摘み操作面も同様に構成し得る。この実施形態における第２摘み操作面９０には、複数の滑り止め用の貫通孔９１が配されている。
【００４８】
このように構成されたものでは、作業者が摘み操作面を指でつまむ時に、各貫通孔９１の孔縁が引っ掛かりとなるため、滑り止めを達成することができる。
【００４９】
なお、滑り止めの構成は、必ずしも貫通孔に限られず、これに代えて内面側へ凹む有底の窪み状の形態であってもよい。
【００５０】
＜実施形態８＞
図１５は本発明の実施形態８に係るホースクランプＨ８の第２摘み操作面１０３を示しているが、第１摘み操作面も同様に構成し得る。本実施形態においては、基部領域１００の図示左側に接続縁１０４を介して拡張領域１０１が取り付けられ、図示右側に折り曲げ縁を介して拡張領域１０２が連続している。すなわち、ホースクランプＨ８が展開状態にあるときには、一方の拡張領域１０１は基部領域１００から切り離されて別体となっているが、他方の拡張領域１０２は図示のように直角に折り曲げられた状態となっている。そして、図示しない通し孔へ第２摘み操作面１０３側を進入させた後、一方の拡張領域１０１は基部領域の片側に溶接によって接続され、他方の拡張領域１０２は折り戻される。
【００５１】
このように構成された実施形態８においても、他の実施形態と同様の作用効果を奏することができる。
【００５２】
＜その他の実施形態＞
なお、本発明は上記した実施形態のものに限らず、次のような変形例も本発明の技術的範囲に含まれる。
【００５３】
実施形態では、幅狭部は最も広幅である付け根部を含め、その全体が通し孔へ進入しうる幅寸法に形成されていたが、付け根部は通し孔へ進入されないため、付け根部の幅寸法は通し孔の最小開口幅より大きく形成されるようにしてもよい。
【００５４】
また、実施形態１,２では第２摘み操作面の両拡張領域を共に内方へ折り曲げたが、外方へ折り曲げるようにしてもよい。さらに、一方の拡張領域は内方へ、他方の拡張領域は外方へ折り曲げるようにしてもよい。
【００５５】
さらにまた、実施形態５では複数条のリブを平行に配置したが、交差するように配置してもよい。
【符号の説明】
【００５６】
１…板材
２，４２…締め付け部
５…第１端部
６…第２端部
７…通し孔（被通過部）
９，３０…第１摘み操作面
１１…幅狭部
１５，３１，５０，６０，７０，８０．９０，１０３…第２摘み操作面
１６，８１…逃がし部
１７，６１，７１…突出部
１８，４０，５１，１００…基部領域
１９，３９，５２，１０１，１０２…拡張領域
２０，４１…折り曲げ縁
３８…徐肉領域（被通過部）
５３…接続縁
Ｈ１〜Ｈ６…ホースクランプ
【図１】
2013118251.tif 000003
【図２】
2013118251.tif 000004
【図３】
2013118251.tif 000005
【図４】
2013118251.tif 000006
【図５】
2013118251.tif 000007
【図６】
2013118251.tif 000008
【図７】
2013118251.tif 000009
【図８】
2013118251.tif 000010
【図９】
2013118251.tif 000011
【図１０】
2013118251.tif 000012
【図１１】
2013118251.tif 000013
【図１２】
2013118251.tif 000014
【図１３】
2013118251.tif 000015
【図１４】
2013118251.tif 000016
【図１５】
2013118251.tif 000017
【手続補正書】
【提出日】平成26年8月11日(2014.8.11)
【手続補正１】
【補正対象書類名】特許請求の範囲
【補正対象項目名】全文
【補正方法】変更
【補正の内容】
【特許請求の範囲】
【請求項１】
帯状の板材が周面上で交叉するようにリング状に曲げられて締め付け部が形成され、この締め付け部にてホースとその接続相手との接続部位を締め付け可能なホースクランプであって、
長手方向の一端側に配されその端部には第１摘み操作面が形成された第１端部と、
長手方向の他端側に配されその端部には前記第１摘み操作面と対向する第２摘み操作面が形成された第２端部とを備え、
前記第１摘み操作面及び前記第２摘み操作面の少なくともいずれか一方は、
前記板材を、その長手方向に沿って延びる中心軸線であるＸ軸に沿ってリング状に曲げたときに前記第１端部および前記第２端部のうちの相手側となる端部に干渉する部位を含まない基部領域と、
前記板材を、前記Ｘ軸に沿ってリング状に曲げたときに前記第１端部および前記第２端部のうちの相手側となる端部に干渉する部位を含む拡張領域とから形成されるとともに、
前記基部領域と前記拡張領域との間には、前記板材が前記Ｘ軸に沿って曲げられたときに、前記拡張領域を前記第１端部および前記第２端部のうちの相手側となる端部に干渉しない非干渉位置へ折り曲げ可能にする折り曲げ縁と、前記基部領域とは別体に形成された前記拡張領域を接続するための接続縁との少なくともいずれか一方が形成されていることを特徴とするホースクランプ。
【請求項２】
前記板材は前記Ｘ軸に関して略線対称形状に形成されるとともに、
前記第１端部側に設けられ前記第１摘み操作面より長手方向中央寄りには、長孔状の通し孔が開口し、
前記第２端部側に設けられ前記第２摘み操作面より長手方向中央寄りには、前記通し孔へ進入可能な幅狭部が形成され、
前記拡張領域は前記基部領域の幅方向の側縁部に配されるようになっており、  前記拡張領域が前記折り曲げ縁にて折り曲げられた状態あるいは前記基部領域とは別体の拡張領域が前記基部領域から切り離された単体の状態では、前記第２摘み操作面の外幅寸法が、前記通し孔の開口幅と等しいかそれよりも小さく設定されて前記通し孔へ進入可能であり、かつ前記拡張領域が前記折り曲げ縁を境にして折り戻されて幅方向外方へ展開した状態あるいは前記拡張領域が前記基部領域の幅方向の側縁に接続縁を介して固着された状態では、前記第２摘み操作面の外幅寸法が、前記通し孔の開口幅より大きく設定されていることを特徴とする請求項１に記載のホースクランプ。
【請求項３】
前記板材は前記Ｘ軸と直交しかつ前記板材の長手方向の中央を通過するＹ軸に関して略点対称形状に形成されるとともに、
前記第１端部及び第２端部において前記第１摘み操作面および前記第２摘み操作面より長手方向中央寄りには、長手方向に沿った一方の側縁から前記Ｘ軸に達するかあるいはこれを横切る位置まで相互に反対向きとなるようにして切り欠かれた除肉領域が形成され、
前記第１摘み操作面および前記第２摘み操作面は、前記拡張領域が前記基部領域の幅方向の側縁部に配されるようになっており、
前記拡張領域が前記折り曲げ縁にて折り曲げられた状態あるいは前記基部領域とは別体の拡張領域が前記基部領域から切り離された単体状態では、前記第１摘み操作面及び前記第２摘み操作面の幅方向の側縁が前記Ｘ軸に沿うか、あるいはＸ軸を横切ることなく離間して位置することで、前記板材が前記Ｘ軸に沿って曲げられるときに前記第１摘み操作面および前記第２摘み操作面は対応する前記除肉領域を通過可能となっており、
前記拡張領域が前記折り曲げ縁を境にして折り戻されて幅方向外方へ展開した状態あるいは前記拡張領域が前記基部領域の幅方向の側縁に接続縁を介して固着された状態では、前記第１摘み操作面および前記第２摘み操作面は幅方向へ拡幅されて、前記Ｘ軸を互い違いの状態で横切る構成となっていることを特徴とする請求項１に記載のホースクランプ。
【請求項４】
前記第１摘み操作面と前記第２摘み操作面との少なくともいずれか一方において、これらが対向する面と反対側の面には、厚み方向外方へ向けて突出部が突出形成されていることを特徴とする請求項１乃至請求項３のいずれかに記載のホースクランプ。
【請求項５】
前記第１・第２摘み操作面の少なくともいずれか一方において、少なくとも一つの周縁部には対向面側へ向けて逃がし部が折り曲げ形成されていることを特徴とする請求項１乃至請求項４のいずれかに記載のホースクランプ。
【請求項６】
前記第１・第２摘み操作面の少なくともいずれか一方には、滑り止めのための凹部あるいは貫通孔が形成されていることを特徴とする請求項１乃至請求項５のいずれかに記載のホースクランプ。
【請求項７】
帯状の板材が周面上で交叉するようにリング状に曲げられて、ホースとその接続相手との接続部位を締め付けるホースクランプの製造方法であって、
前記板材の両端部側は第１端部と第２端部とされ、前記第１端部及び前記第２端部のそれぞれの先端部には第１摘み操作面と第２摘み操作面が形成され、かつ両摘み操作面のうち少なくともいずれか一方側の前記摘み操作面より長手方向の中央寄りには被通過部が形成され、前記板材を、その長手方向に沿った中心軸線であるＸ軸に沿って円環状に曲げる前は、前記両摘み操作面のうち少なくとも他方側に対し、前記被通過部周りの部位に干渉しない外幅寸法を持った干渉回避形態としておく外幅調整工程と、
前記板材の長手方向の中央が曲げを最下点としつつ前記Ｘ軸に沿って円環状に曲げるとともに、前記両摘み操作面のうち少なくとも前記他方側が前記被通過部を通過させるようにすることで前記第１端部と前記第２端部とを周面上で交叉させて縮径及び拡径方向への変形が可能な締め付け部を形成する締め付け部形成工程と、
この締め付け部形成工程の後に、前記両摘み操作面のうち少なくとも他方側に対し、同面を幅方向に拡張させた拡幅形態に加工する拡幅工程と、
を含んでいることを特徴とするホースクランプの製造方法。
【請求項８】
前記被通過部は前記第１端部において長孔状に形成された通し孔であり、前記外幅調整工程において前記第２摘み操作面は幅方向両側部が折り曲げられることにより全体の外幅が前記通し孔の開口幅と等しいかそれより幅狭に形成された前記干渉回避形態とされ、この第２摘み操作面は締め付け部形成工程において前記通し孔へ通され、前記拡幅工程において幅方向両側部が折り戻されて前記拡幅形態とされることを特徴とする請求項７に記載のホースクランプの製造方法。
【請求項９】
前記板材は前記Ｘ軸と直交しかつ前記板材の長手方向の中央を通過するＹ軸に関して略点対称形状に形成されていて、前記第１端部の長手方向の端部に形成された前記第１摘み操作面と前記第２摘み操作面は共に前記Ｘ軸を挟んだ二つの領域を跨ぐ幅範囲をもって形成される一方、前記第１端部側と前記第２端部側のそれぞれに配された前記被通過部は共に前記板材の一方の側縁から内方へ向けて前記Ｘ軸に達するかあるいはこれを超えて横切る深さまで切り欠かれた除肉領域であり、
前記外幅調整工程において、前記第１摘み操作面及び前記第２摘み操作面は、共に前記Ｘ軸を挟んだ二つの領域のうち前記除肉領域が配された側の領域が折り曲げられて、折り曲げ部分の長手方向の側面が前記Ｘ軸に沿うか、あるいは前記Ｘ軸から離れて位置する前記干渉回避形態とされ、
前記第１摘み操作面及び前記第２摘み操作面は、前記拡幅工程において折り曲げ部分が折り戻されて前記拡幅形態とされることを特徴とする請求項７に記載のホースクランプの製造方法。
【請求項１０】
前記第１摘み操作面と前記第２摘み操作面の少なくともいずれか一方において、これらが対向する面と反対側の面には厚み方向外方へ向けて突出する突出部が形成される突出部形成工程が含まれることを特徴とする請求項７乃至請求項９のいずれかに記載のホースクランプの製造方法。
【請求項１１】
前記第１摘み操作面と前記第２摘み操作面の少なくともいずれか一方において、周縁の少なくとも一縁が対向面側へ向けて折り曲げられた逃がし部を形成するための逃がし部形成工程が含まれることを特徴とする請求項７乃至請求項１０のいずれかに記載のホースクランプの製造方法。
【請求項１２】
前記第１・第２摘み操作面の少なくともいずれか一方に、滑り止めのための凹部あるいは貫通孔を形成するための工程が含まれることを特徴とする請求項７乃至請求項１１のいずれかに記載のホースクランプの製造方法。
【手続補正２】
【補正対象書類名】明細書
【補正対象項目名】００１０
【補正方法】変更
【補正の内容】
【００１０】
このような構成によれば、板材をＸ軸に沿ってリング状に曲げるときには拡張領域が折り曲げ縁にて折り曲げられるか、あるいは基部領域単体の状態にあるため、第２摘み操作面は、通し孔に対し孔縁に干渉することなく挿通可能である。挿通後は拡張領域が折り戻されて幅方向外方へ展開するか、あるいは単体状態にある基部領域の側縁に対し拡張領域が接続縁を介して接続されて、第２摘み操作面の外幅寸法が幅方向へ拡張する。その結果、第２摘み操作面の外幅は通し孔の開口幅より広幅に拡幅されるため、良好な摘み操作性が得られる。加えて、ホースクランプ全体はＸ軸に関して略線対称形状をなしているため、ホースクランプに作用する応力を、Ｘ軸に関してバランスさせることができる、という効果も得られる。
（２）板材はＸ軸と直交しかつ板材の長手方向の中央を通過するＹ軸に関して略点対称形状に形成されるとともに、
第１端部及び第２端部において第１摘み操作面および第２摘み操作面より長手方向中央寄りには、長手方向に沿った一方の側縁からＸ軸に達するかあるいはこれを横切る位置まで相互に反対向きとなるようにして切り欠かれた除肉領域が形成され、
第１摘み操作面および第２摘み操作面は、拡張領域が基部領域の幅方向の側縁部に配されるようになっており、
拡張領域が前記折り曲げ縁にて折り曲げられた状態あるいは基部領域とは別体の拡張領域が基部領域から切り離された単体状態では、第１摘み操作面及び第２摘み操作面の幅方向の側縁がＸ軸に沿うか、あるいはＸ軸を横切ることなく離間して位置することで、板材がＸ軸に沿って曲げられるときに第１摘み操作面および第２摘み操作面は対応する除肉領域を通過可能となっており、
拡張領域が折り曲げ縁を境にして折り戻されて幅方向外方へ展開した状態あるいは拡張領域が基部領域の幅方向の側縁に接続縁を介して固着された状態では、第１摘み操作面および第２摘み操作面は幅方向へ拡幅されて、Ｘ軸を互い違いの状態で横切る構成となっている。
【手続補正３】
【補正対象書類名】明細書
【補正対象項目名】００１１
【補正方法】変更
【補正の内容】
【００１１】
このような構成によれば、板材をＸ軸に沿ってリング状に曲げるときには、両摘み操作面は除肉領域を通過することができる。通過後には、拡張領域が折り戻され、あるいは基部領域に接続されてＸ軸を互い違いの状態で横切る。すなわち、両摘み操作面は共に広幅状態に拡幅されるため、良好な摘み操作性が得られる。加えて、ホースクランプ全体はＹ軸に関して略点対称形状をなしているため、ホースクランプに作用する応力をＹ軸に関してバランスさせることができる。
（３）第１摘み操作面と第２摘み操作面との少なくともいずれか一方において、これらが対向する面と反対側の面には、厚み方向外方へ向けて突出部が突出形成されている。
【手続補正４】
【補正対象書類名】明細書
【補正対象項目名】００１５
【補正方法】変更
【補正の内容】
【００１５】
第２の発明であるホースクランプの製造方法には、次の構成を付加してもよい。
（１）被通過部は第１端部において長孔状に形成された通し孔であり、外幅調整工程において第２摘み操作面は幅方向両側部が折り曲げられることにより全体の外幅が通し孔の開口幅と等しいかそれより幅狭に形成された干渉回避形態とされ、この第２摘み操作面は締め付け部形成工程において通し孔へ通され、前記拡幅工程において幅方向両側部が折り戻されて拡幅形態とされる。
（２）板材はＸ軸と直交しかつ板材の長手方向の中央を通過するＹ軸に関して略点対称形状に形成されていて、第１端部の長手方向の端部に形成された第１摘み操作面と第２摘み操作面は共にＸ軸を挟んだ二つの領域を跨ぐ幅範囲をもって形成される一方、第１端部側と第２端部側のそれぞれに配された被通過部は共に板材の一方の側縁から内方へ向けてＸ軸に達するかあるいはこれを超えて横切る深さまで切り欠かれた除肉領域であり、
外幅調整工程において、第１摘み操作面及び第２摘み操作面は、共にＸ軸を挟んだ二つの領域のうち除肉領域が配された側の領域が折り曲げられて、折り曲げ部分の長手方向の側面がＸ軸に沿うか、あるいはＸ軸から離れて位置する干渉回避形態とされ、
第１摘み操作面及び第２摘み操作面は、拡幅工程において折り曲げ部分が折り戻されて拡幅形態とされる。
（３）第１摘み操作面と第２摘み操作面の少なくともいずれか一方において、これらが対向する面と反対側の面には厚み方向外方へ向けて突出する突出部が形成される突出部形成工程が含まれる。
（４）第１摘み操作面と第２摘み操作面の少なくともいずれか一方において、周縁の少なくとも一縁が対向面側へ向けて折り曲げられた逃がし部を形成するための逃がし部形成工程が含まれる。
（５）第１・第２摘み操作面の少なくともいずれか一方に、滑り止めのための凹部あるいは貫通孔を形成するための工程が含まれる。
【手続補正５】
【補正対象書類名】明細書
【補正対象項目名】００２１
【補正方法】変更
【補正の内容】
【００２１】
均一幅領域の第１端部５側の両コーナは弧状に面取り１２がされているが、幅狭部１１側の両コーナは直線状に面取り１３がされている。両面取り１３は円弧面１３Ａを介して幅狭部１１に連続している。幅狭部１１は徐々に幅広となる接続部１４を介して第２摘み操作面１５に連続している。
【手続補正６】
【補正対象書類名】明細書
【補正対象項目名】００３０
【補正方法】変更
【補正の内容】
【００３０】
実施形態２に係るホースクランプＨ２は、図８に示すような工程を経て製造される。図８（I）に示すように、展開状態にある板材３２はＹ軸に関して点対称の形状に形成されている（展開形状形成工程）。（I）に示すように、板材３２の長手方向の一方の側縁（図中、下側に示されている側縁）は第２端部３４の先端からＸ軸に沿って真っ直ぐ延び、Ｙ軸を越えて所定位置に至った後、内方へ向かう緩斜面３５が連続している。緩斜面３５の終端はＸ軸を僅かに横切って位置している。緩斜面３５の終端からは、第１端部３３側へ向けてＸ軸と平行にストレート面３６が所定長さだけ延び、その後、外方へ向かう急斜面３７に連続している。急斜面３７は第１端部３３の先端から所定距離だけ離れた位置に連続している。かくして、第１端部３３の一方の側縁には緩斜面３５、ストレート面３６及び急斜面３７によって形成される除肉領域３８が形成され、このことによって除肉領域３８より第１端部３３の先端側には第１摘み操作面３０が形成される。
【手続補正７】
【補正対象書類名】明細書
【補正対象項目名】００３１
【補正方法】変更
【補正の内容】
【００３１】
板材３２の他方の側縁（図中、上側に示されている側縁）においても除肉領域３８が点対称位置に形成され、同様にして第２摘み操作面３１が形成される。
【手続補正８】
【補正対象書類名】明細書
【補正対象項目名】００３２
【補正方法】変更
【補正の内容】
【００３２】
ホースクランプＨ２は展開状態から曲げ加工される前に、第１・第２の両摘み操作面３０，３１に対し図８（II）に示すような折り曲げがなされる（外幅調整工程）。すなわち、第１摘み操作面３０においては、板材３２をＸ軸に沿ってリング状に曲げたときに、図８においてＸ軸より下側に位置する片側部位が、第２端部３４側における除肉領域３８周りに干渉するため、同部位を含む領域が拡張領域３９となり、残りの領域が基部領域４０となる。一方、第２摘み操作面３１においては、図８においてＸ軸より上側に位置する片側部位が第１端部３３側と干渉するため、同部位を含む領域が拡張領域３９であり、残りの領域が基部領域４０となる。
【手続補正９】
【補正対象書類名】明細書
【補正対象項目名】００３５
【補正方法】変更
【補正の内容】
【００３５】
また、上記した曲げの結果、同図（III）に示すように、両除肉領域３８内の縁部同士は面一状態で整合する。
【手続補正１０】
【補正対象書類名】明細書
【補正対象項目名】００５０
【補正方法】変更
【補正の内容】
【００５０】
＜実施形態８＞
図１５は本発明の実施形態８に係るホースクランプＨ８の第２摘み操作面１０３を示しているが、第１摘み操作面も同様に構成し得る。本実施形態においては、基部領域１００の図示左側に接続縁１０４を介して拡張領域１０１が取り付けられ、図示右側に折り曲げ縁１０５を介して拡張領域１０２が連続している。すなわち、ホースクランプＨ８が展開状態にあるときには、一方の拡張領域１０１は基部領域１００から切り離されて別体となっているが、他方の拡張領域１０２は図示のように直角に折り曲げられた状態となっている。そして、図示しない通し孔へ第２摘み操作面１０３側を進入させた後、一方の拡張領域１０１は基部領域の片側に溶接によって接続され、他方の拡張領域１０２は折り戻される。
【手続補正１１】
【補正対象書類名】明細書
【補正対象項目名】００５６
【補正方法】変更
【補正の内容】
【００５６】
１…板材
２，４２…締め付け部
５…第１端部
６…第２端部
７…通し孔（被通過部）
９，３０…第１摘み操作面
１１…幅狭部
１５，３１，５０，６０，７０，８０．９０，１０３…第２摘み操作面
１６，８１…逃がし部
１７，６１，７１…突出部
１８，４０，５１，１００…基部領域
１９，３９，５２，１０１，１０２…拡張領域
２０，４１…折り曲げ縁
３８…除肉領域（被通過部）
５３，１０４…接続縁
Ｈ１〜Ｈ８…ホースクランプ
【国際調査報告】
2013118251.tif 000018
2013118251.tif 000019
2013118251.tif 000020
2013118251.tif 000021